(57)【要約】【課題】  水（Ｈ２Ｏ）を水素水にするにあたっては、従来の方法では電気分解や、光触媒を使用して紫外線ＬＥＤの光合成を通じて、活性水素水にしている。  本発明では赤外線ＬＥＤを用いて集光カバーで光束を集め、さらに照射距離を短くし衝突エネルギーを高め光合成を促進した。  これで出来た水素水は水素イオンを含む活性水素水であり還元性は非常に大きい。【解決手段】  器の両側面にＬＥＤ電灯を設置して集光カバーを経由後、そこから水中に向けて照射する。  また、光が漏れないように外装を施す。  また、外装に熱を逃がすための小孔を開けておく。  水を器に入れ、電源スイッチを入れ、ＬＥＤを点灯する。  反応（光合成）は微細なので長時間掛る。  ３時間程度経過してから飲料する。【選択図】図１
2016144793.tif 000002
【特許請求の範囲】
【請求項１】
ＬＥＤを光源として、光触媒を使用せず、水中での光合成を通じて、活性水素水を製造する特徴を持つ活性水素水発生器。
【請求項２】
赤外線ＬＥＤを光源として、光触媒を使用せず、水中での光合成を通じて、活性水素水を製造する特徴を持つ活性水素水発生器。
【請求項３】
赤外線ＬＥＤを光源として、光触媒を使用せず、光束を集める集光カバーを利用して水中での光合成を通じて、活性水素水を製造する特徴を持つ活性水素水発生器。
【請求項４】
赤外線ＬＥＤを光源として、光触媒を使用せず、光束を集める集光カバーを使用して、さらに照射距離を３ｃｍと短くして水中での光合成を通じて、活性水素水を製造する特徴を持つ活性水素水発生器。
【請求項５】
ＬＥＤ（フイリップＬＥＤ「Ｇｒｅｅｎ  Ｐｏｗｅｒ  ＬＥＤ」シーシーエス株式会社  同等品）を光源として、光触媒を使用せず、水中での光合成を通じて、活性水素水を製造する特徴を持つ活性水素水発生器
【発明の詳細な説明】
【技術分野】
【０００１】本発明は、飲料水にＬＥＤを光源とした赤外線を水中に照射して、光合成を通うして活性水素水を作るものである。
【背景技術】
【０００２】水素水や還元性電解水は最近美容用化粧水用途、飲料水、注射液など医療用途や農業、農業用資材の洗浄剤に用いられている。  その水素水や還元性電解水を製造するのに原水のＰＨを調整したのち電気分解したり（特許文献１参照）、電気分解したのち還元剤を添加したり（特許文献２参照）、マグネシウム電極を使用したり（特許文献４参照）して電気分解している。  さらに光触媒を利用した水浄化装置において紫外線ＬＥＤを使用しているが、人体に有害なトリハロメタンの除去のため３８７ｎｍ以下の波長の光を照射している（特許文献３参照）。
従来のこれらの還元性電解水の製造は電気分解や光触媒と紫外線ＬＥＤなどで作られてきた。  そこで、今回は赤外線ＬＥＤを用いて活性水素水（水素イオン水）を製造するものである。
【先行技術文献】
【特許文献】
【０００３】
【特許文献１】  特開２０００−７９３９１号公報
【特許文献２】  特開平９−１６８７８３号公報
【特許文献３】  特開平２０１２−２００６７２号公報
【特許文献４】  特開平１１−１６９８５６号公報
【発明の概要】
【発明が解決しようとする課題】
【０００４】（イ）水素水や還元性電解水を飲料水として利用するのであれば電気分解をするのにＰＨ調整する必要がある。電気分解の原水を調整する場合（特許文献１参照）、電気分解した後に還元剤を添加する場合（特許文献２参照）、また電極にマグネシウムを使うと取替えの必要が生じさらに炭酸ガス等でＰＨ調整している（特許文献４参照）。  それでこのような煩わしいＰＨ調整をしなくても良いような製造方法を提案する。
（ロ）水浄化装置はシリカやチタンを含む金属酸化物からなる繊維を光触媒として紫外線ＬＥＤ  ユニットと組み合わせて使用しているがこれも大変手間が掛かり複雑である。  またカートリッジの取替えが問題である。それと、紫外線ＬＥＤの波長を３８７ｎｍ以下としている（特許文献３）、  大変複雑である。
紫外線ＬＥＤを使用するとトリハロメタン（クロロホルムＣＨＣＬ３）ができるので、それの除去に苦慮している。
（ハ）また今後増えるであろう老人の認知症もアミノ酸の酸化によるものであるため活性水素の作用で軽減できるものと考えている。アミロイドの堆積がミトコンドリアの機能障害及び反応性酸素生成物ＲＯＳの一因となり、それがアポトーシス（細胞の死）を引き起こすシグナルとなりえるとする研究もある。
（ニ）当然癌についても有機物の酸化に関連しているケースもあり還元することで病の軽減をはかれる。
（ホ）本来有機物の酸化による弊害をなくするため、酸化した有機物を活性水素水で還元し有機物の酸化による弊害をなくすることにある。
したがって、一般的にあらゆるところでの有機物の還元が可能である。特に生体内の有機物の還元は有効と考えている。
本発明の活性水素水（水素イオン水）で上記の諸問題を解決できるもの考えている。
【課題を解決するための手段】
【０００５】活性水素水（水素イオン水）発生器としての基本構造は次による。
（イ）透明ガラスの容器の両側面から赤外線ＬＥＤを水中に向かって照射する。  その際に光線が水中で衝突するように両側面のＬＥＤの高さを合わしておく。  なお、赤外線ＬＥＤの波長は４００ｎｍ〜２，５００ｎｍのものを使用する。  近赤外光は紫外線などと違って人体にほとんど悪影響がない。
（ロ）透過損失を考慮して赤外線ＬＥＤの光束の密度を上げるために集光カバーをＬＥＤの前面に取り付ける。
（ハ）透明ガラス容器の下部に赤外線ＬＥＤを取り付けるため、両側面の間隔を水中の透過損失を考慮して３ｃｍと少なくして、その上部を広く１０ｃｍとする。  幅は２５ｃｍ  、高さ３０ｃｍとする。
（ニ  光が漏れないように、発生器全体を外装で覆う。  その際空気抜きを作っておく。なお、外装材は不燃材を使用する。
（ホ）後は、水位計、電源プラグ、ＯＮ、ＯＦＦスイッチ、表示灯、容器の取手、注水口（水を容器に入れる口）、注ぎ口（容器からコップに入れる口）
以上のような構造である。
【発明の効果】
【０００６】（イ）老人認知症の改善。
アミロイドβ（β蛋白）が２つ以上結合すると活性酸素を産生して脳神経細胞を殺してしまう。  結合したアミロイドβが神経細胞の周りに集まり、活性酸素により細胞内の微小管を形成するタンパク質タウがはがれ、凝集を始めます。  こうなると神経細胞は死んでしまいアルツハイマー病の発病につながると考えられています。
したがって、活性酸素を活性水素水で除去することでアルツハイマー病を改善できると考えられる。
（ロ）癌細胞の改善。
悪性のがん細胞であるヒト線維肉腫（ＨＴ‐１０８０）細胞内の過酸化水素を消去し、同細胞の浸潤を抑制することを発見した。
悪性のがんは抗がん剤や放射線に対する耐性すら持ち、増殖速度を速めていく、こうしたがんに対する３大標準療法は（１）外科的療法、（２）放射線療法、（３）化学療法（抗がん剤療法）の３つだが、いずれもがんによる死因の大半を占める進行がんには有効ではない。
がんの発生機構として、まず体内の正常細胞の遺伝子に変質が生じた変異細胞が発生し、さらに異常細胞が活性酸素（ＲＯＳ）を浴び続けることによりがん細胞に変化すると考えられている。
そこで、低コストでがんの予防及び治療に役立つ医療補助水としての電解還元水の利用方法を確立する必要があるとした。  さらに、電解還元水の日常的飲用により、がん細胞内の活性酸素レベルを低下させ、がん細胞の増殖抑制、血管新生抑制、移転、浸潤抑制を図り、がん細胞の悪性の性質を良化できる可能性があるとする。
以上は九州大学と日本トリムの研究結果の論文である。
本発明の活性水素水はＯ２−−＋２Ｈ２Ｏ＋４ｅ−＋４Ｈ＋であるため、上記の電解還元水の目的を十分達成できる。
（ハ）悪玉の活性酸素を除去して健康、美容、ダイエットに良い。
活性水素水は分子状水素や原子状水素（ミネラルナノ粒子）などが溶存している事により、酸化還元電位はマイナスを示します。
その結果化学反応を通じて活性酸素を除去する反応が大きい。
【図面の簡単な説明】
【０００７】
【図１】本発明の斜視図である。
【図２】本発明の一部を切り欠いた側面図である。
【図３】本発明の他の実施例を示した斜視図である。
【発明を実施するための形態】
【０００８】物理的に光子の衝突から短時間ではあるが２Ｈｅ（ジプトロン）が発生している。
植物に赤色赤外線ＬＥＤを照射すればその作用によって活性水素水や電子の働きで発育が良くなる。
活性水素水を水中で製造するにはＬＥＤ（赤色、青色、白色、黄色、緑色）の光を当て２Ｈｅを発生させる必要がある。  一番適しているのが赤色ＬＥＤであるが、他の色のＬＥＤでも効率が落ちるが可能である。
【化１】
2016144793.tif 000003
（高エネルギー加速器研究機構では電子と陽電子と表現している）
本発明の第一の反応は水中（Ｈ２Ｏ）で光子が光合成によって２Ｈｅ（ジプロトン）が発生する。  この＋陽子と−陽子によって一部水（Ｈ２Ｏ）が活性水素イオン（Ｈ＋）と水酸化物イオン（ＯＨ−）に変化する。
【化２】
2016144793.tif 000004
本発明の第二の反応は、水酸化物イオン（ＯＨ−）が酸素と水に変化する。
【化３】
2016144793.tif 000005
このようにＬＥＤの赤外線及び紫外線の光合成によって酸素Ｏ２と活性水素Ｈ＋（水素イオン）、電子ｅ−が入った水素水ができる。
以下、本発明の実施の形態を説明する。
（イ）飲料水の入った透明のガラス容器（１１）の下部の左右両壁にＬＥＤ光源を設置して両方から対面の光源に向かって照射する。
（ロ）その際、透過損失を考慮して光束の密度を上げるため集光カバー（５）を取り付ける。  さらに壁面間を３ｃｍと短くして光子の衝突を勢いよくした。
（ハ）ＬＥＤは赤色赤外線、青色赤外線等あるが波長の大きい赤色赤外線ＬＥＤ（４）を使用する。  （透過損失が青色より小さい。）個数は容器の大きさによる。
（ニ）光が散乱しないように、また化粧用に装置全体を不燃材（９）で囲う。
（ホ）家あるいは施設のコンセントに電源プラグ（１２）を差し込む。
（ヘ）容器がガラスであるため、ＬＥＤの光源で暖められ遠赤外線効果がある。  熱を逃がすための空気口（１０）を開けておく。
（ト）活性水素ガスが逃げないように注ぎ口（８）と水入れ口の蓋（１）を密閉する。
（チ）反応が小さいので長時間（３時間位）スイッチ（２）を入れておく。
（リ）飲料水が入れられているか確認のための水位計（６）を取り付ける。
（ヌ）通電中あるいは停止中の表示灯（３）を取り付ける。
（ル）容器からコップに注ぐための取手（７）も付けておく。
本発明は以上のような構造である。
【０００９】本発明を使用するときは蓋（１）を開け飲料水を入れる。  水位計（６）を見ながら満タンになったら飲料水を入れるのを止める。  次に電源プラグ（１２）を近くのコンセントに差し込み、電源が入いると表示灯（３）の電源表示灯が点灯する。ＬＥＤへの通電スイッチ（２）を入れると表示灯（３）の通電表示灯が点灯する。３時間ほど経過するとスイッチ（２）を切る。表示灯（３）の通電表示灯が消灯になる。  容器本体の取手（７）を握り注ぎ口（８）から飲料水をコップに入れる。
【符号の説明】
【００１３】  １．飲料水を器具に入れる蓋
２．ＬＥＤ照射スイッチ  ＯＮ  ＯＦＦ
３．同上スイッチ  ＯＮ  ＯＦＦ表示灯
４．ＬＥＤ収納部
５．ＬＥＤ集光カバー
６．水位計
７．取手
８．飲料水をコップに注ぐ口
９．本体の外装
１０．空気孔
１１．容器本体
１２．電源プラグ
【図１】
2016144793.tif 000006
【図２】
2016144793.tif 000007
【図３】
2016144793.tif 000008